(57)【要約】      （修正有）【課題】トランシーバモードで通話する複数の内線無線電話機を自動的にトランシーバモードに切り替え、またトランシーバモードにおいて、他内線無線電話機の送話を一時的に禁止して送話を行う事が可能な無線電話システムを提供する。【解決手段】電話主装置１のトランシーバモード起動指示信号送信部１０４からトランシーバモード起動指示信号を送信し、内線無線電話機２はトランシーバモード起動指示信号受信部２０２でトランシーバモード起動指示信号を受信した場合に、トランシーバモード起動／停止部２０８は、モード制御部２０３の指示により無線部２０９をトランシーバモード用の周波数に変更してトランシーバモードを起動する。また、トランシーバモードを起動した内線無線電話機２は、キー入力部２０５への所定の操作により他内線無線電話機２−Ｎの送話を一時的または定常的に禁止する送話禁止信号を送信禁止信号送受信部２１５から送出する。【選択図】図１
2015070403.tif 000002
【特許請求の範囲】
【請求項１】
近傍に存在する内線無線電話機間でネットワークを介さない通信を実行するトランシーバモードを備える複数の内線無線電話機と、前記複数の内線無線電話機を収容する電話主装置からなる無線電話システムにおいて、
前記電話主装置は、自電話主装置と接続されているセンサから災害が発生した旨を示す緊急情報を受信する緊急情報受信手段と、前記緊急情報受信手段が緊急情報を受信した場合に自電話主装置に帰属する全てまたは一部の前記内線無線電話機の前記トランシーバモードを予め定められた周波数チャネルに設定してトランシーバモード通信の起動を指示するトランシーバモード起動指示信号を送信するトランシーバモード起動指示手段と、を有し、
前記内線無線電話機は、前記電話主装置から前記トランシーバモード起動指示信号を受信するトランシーバモード起動指示信号受信手段と、前記トランシーバモード起動指示信号を受信した場合に前記トランシーバモードを起動するトランシーバモード起動手段と、を有することを特徴とするトランシーバモード起動機能を有する無線電話システム。
【請求項２】
請求項１に記載の無線電話システムにおいて、
前記トランシーバモードを起動した内線無線電話機は、他内線無線電話機から受信した受話音声を再生し、自内線無線電話機が備える予め定められた送話に係るキーが押下された場合に、自内線無線電話機が備えるマイクから入力する音声信号を送信し、前記送話に係るキーが押下されていない場合に、自内線無線電話機が備えるマイクから入力する音声信号の送信を停止することを特徴とするトランシーバモード起動機能を有する無線電話システム。
【請求項３】
請求項１または２に記載の無線電話システムにおいて、
前記トランシーバモードを起動した内線無線電話機は、他内線無線電話機の送話を一時的または定常的に禁止する送話禁止信号を送信する送話禁止信号送信手段と、前記送話禁止信号を受信する送話禁止信号受信手段と、をさらに有し、
予め定められた特定操作が為された場合に前記送話禁止信号送信手段を起動し、他内線無線電話機から前記送話禁止信号送信を受信した場合に自内線無線電話機が備えるマイクから入力する音声信号の送信を停止することを特徴とするトランシーバモード起動機能を有する無線電話システム。
【発明の詳細な説明】
【技術分野】
【０００１】
本発明は、電話主装置と複数の内線無線電話機とから構成された無線電話システムに関する。
【背景技術】
【０００２】
無線電話システムにおいて、子機である移動機（内線無線電話機）を本来の内線無線電話機としてではなく、トランシーバとして使用する技術がある。（例えば、特許文献１）。この技術によると、移動機（内線無線電話機）の動作は電話回線を使用して通話する電話回線通話モードと移動機（内線無線電話機）相互間で同一周波数の無線を使用して通話するトランシーバモードをスイッチ操作により選択することで電話回線通話モードからトランシーバモードに切り替え、送話時に送話スイッチを押下することで、近傍の移動機（内線無線電話機）へ送話するトランシーバとして使用できる。
【０００３】
しかしながら、特許文献１で開示されている技術では、自身が所有する移動機（内線無線電話機）をトランシーバモードに切り替えても、他にトランシーバモードである移動機（内線無線電話機）がなければ、結局はトランシーバモードを用いた通話は不可能である。また、同一周波数の無線を使用して通話を行うため、大人数でトランシーバモードを用いた通話をしている場合に、複数の移動機（内線無線電話機）の送話を同時に行うと送話がぶつかってしまう為、重要な情報を伝える事が出来ないという不便があった。
【先行技術文献】
【特許文献】
【０００４】
【特許文献１】特開平６−１２５２９９号公報
【発明の概要】
【発明が解決しようとする課題】
【０００５】
本発明は上記の不便を鑑みて為されたものであり、本発明の課題は、トランシーバモードで通話する複数の内線無線電話機を自動的にトランシーバモードに切り替え、またトランシーバモードにおいて、他内線無線電話機の送話を一時的に禁止して送話を行う事が可能な無線電話システムを提供することである。
【課題を解決するための手段】
【０００６】
上記課題を解決するために、本発明における第１の発明は、近傍に存在する内線無線電話機間でネットワークを介さない通信を実行するトランシーバモードを備える複数の内線無線電話機と、前記複数の内線無線電話機を収容する電話主装置からなる無線電話システムにおいて、前記電話主装置は、自電話主装置と接続されているセンサから災害が発生した旨を示す緊急情報を受信する緊急情報受信手段と、前記緊急情報受信手段が緊急情報を受信した場合に自電話主装置に帰属する全てまたは一部の前記内線無線電話機の前記トランシーバモードを予め定められた周波数チャネルに設定してトランシーバモード通信の起動を指示するトランシーバモード起動指示信号を送信するトランシーバモード起動指示手段と、を有し、前記内線無線電話機は、前記電話主装置から前記トランシーバモード起動指示信号を受信するトランシーバモード起動指示信号受信手段と、前記トランシーバモード起動指示信号を受信した場合に前記トランシーバモードを起動するトランシーバモード起動手段と、を有することを特徴とする。
【０００７】
次に、本発明における第２の発明は、前記トランシーバモードを起動した内線無線電話機は、他内線無線電話機から受信した受話音声を再生し、自内線無線電話機が備える予め定められた送話に係るキーが押下された場合に、自内線無線電話機が備えるマイクから入力する音声信号を送信し、前記送話に係るキーが押下されていない場合に、自内線無線電話機が備えるマイクから入力する音声信号の送信を停止することを特徴とする。
【０００８】
次に、本発明における第３の発明は、前記トランシーバモードを起動した内線無線電話機は、他内線無線電話機の送話を一時的または定常的に禁止する送話禁止信号を送信する送話禁止信号送信手段と、前記送話禁止信号を受信する送話禁止信号受信手段と、をさらに有し、予め定められた特定操作が為された場合に前記送話禁止信号送信手段を起動し、他内線無線電話機から前記送話禁止信号送信を受信した場合に自内線無線電話機が備えるマイクから入力する音声信号の送信を停止することを特徴とする。
【発明の効果】
【０００９】
本発明によれば、トランシーバモードで通話する複数の内線無線電話機を自動的にトランシーバモードに切り替え、またトランシーバモードにおいて、他内線無線電話機の送話を一時的に禁止して送話を行う事が可能な無線電話システムを提供できる。  
【図面の簡単な説明】
【００１０】
【図１】図１は、本発明の無線電話システムを含む機能ブロック図である。
【図２】図２は、本発明の無線電話システムにおける電話主装置の動作を示すフローチャートである。
【図３】図３は、本発明の無線電話システムにおける内線無線電話機の動作を示すフローチャートである。
【発明を実施するための形態】
【００１１】
以下に、本発明の実施の形態について、図面を用いて説明する。
【００１２】
図１は本発明の無線電話システムを含む機能ブロック図である。１は電話主装置、２は内線無線電話機を示し、内線無線電話機２〜２−Ｎが電話主装置１に収容されている。
【００１３】
電話主装置１について説明する。１０１は外線Ｉ／Ｆ部、１０２は内線Ｉ／Ｆ部、１０３は交換処理部、１０４はトランシーバモード起動指示信号送信部、１０５は主制御部、１０６は緊急情報受信部、１０７はセンサ部を示す。
【００１４】
外線Ｉ／Ｆ部１０１は、外線を収容する。
【００１５】
内線Ｉ／Ｆ部１０２は、電話主装置１と内線無線電話機２間の通信を行う。
【００１６】
交換処理部１０３は、外線、内線通話の交換処理を行う。
【００１７】
トランシーバモード起動指示信号送信部１０４は、主制御部１０５からの指示で内線無線電話機２をトランシーバモードに切り替えるトランシーバモード起動指示信号を内線Ｉ／Ｆ部１０２を介して内線無線電話機２へ送出する。また、内線無線電話機２から特番（例えば、＃＊内線番号１＃内線番号２・・・内線番号Ｎ）によるトランシーバ起動要求を他の内線無線電話機２へ送出する。
【００１８】
主制御部１０５は、電話主装置１を制御する。
【００１９】
緊急情報受信部１０６は、センサ部１０７から送出された緊急情報を受信し、主制御部１０５に緊急情報を受信したことを通知する。
【００２０】
センサ部１０７は、緊急情報（例えば火災、地震などの災害の情報）を検知し、緊急情報を緊急情報受信部１０６に送出する。
【００２１】
次に、内線無線電話機２について説明する。２０１は内線Ｉ／Ｆ部、２０２はトランシーバモード起動指示信号受信部、２０３はモード制御部、２０４は主制御部、２０５はキー操作部、２０６はモード切替ＳＷ部、２０７はアンテナ部、２０８はトランシーバモード起動／停止部、２０９は無線部、２１０は通話処理部、２１１は送話ＳＷ部、２１２はマイク、２１３はレシーバ、２１４は電池、２１５は送信禁止信号送受信部を示す。
【００２２】
内線Ｉ／Ｆ部２０１は、電話主装置１と内線無線電話機２間の通信を行う。
【００２３】
トランシーバモード起動指示信号受信部２０２は、トランシーバモード起動指示信号を電話主装置１から内線Ｉ／Ｆ部２０１を介して受信し、モード制御部２０３へトランシーバモード起動指示信号を受信した旨を通知する。
【００２４】
モード制御部２０３は、モード切替ＳＷ部２０６とトランシーバモード起動指示信号受信部２０２、主制御部２０４からのモード切替要求に応じてトランシーバモード起動／停止部２０８を制御する。
【００２５】
主制御部２０４は、内線無線電話機２の制御を行う。
【００２６】
キー操作部２０５は、使用者が入力したキー情報を主制御部２０４へ通知する。
【００２７】
モード切替ＳＷ部２０６は、使用者が電話主装置１を介した通常の電話回線による通話を行う特定の周波数帯域（例えば１．９ＧＨｚなど）を使用した通常モードと、通常モードで使用する周波数帯域とは違う特定の周波数帯域（例えば４０．６８ＭＨｚなど）を使用した、電話主装置１を介さない内線無線電話機（２〜２−Ｎ）相互間で通信を行うトランシーバモードに切り替える。
【００２８】
アンテナ部２０７は内線無線電話機２のアンテナである。
【００２９】
トランシーバモード起動／停止部２０８は、モード制御部２０３からの指示により、無線部２０９に対してトランシーバモードの起動／停止を指示する。
【００３０】
無線部２０９は、内線無線電話機２の無線通信の制御を行う。
【００３１】
通話処理部２１０は、通話時の送受話の処理を行う。
【００３２】
送話ＳＷ部２１１は、トランシーバモード時に使用者が送話する場合に押下することで、マイク２１２から入力される音声を相手に送信する。
【００３３】
マイク２１２は、送話の音声を伝えるためのものである。
【００３４】
レシーバ２１３は、受話の音声を伝えるためのものである。
【００３５】
電池２１４は、内線無線電話機２の電源であり、各部に給電されている。
【００３６】
送信禁止信号送受信部２１５は、トランシーバモード中に使用者が特定操作（例えばダイヤル１の長押し等のキー操作）を行った場合に、自分以外の他内線無線電話機２の送話を禁止する送信禁止信号を他内線無線電話機２に送信する。また、他内線無線電話機２から送信された送信禁止信号を受信する。
【００３７】
図２は、電話主装置１の動作を示すフローチャートである。本フローチャートは、電話主装置１の電源が投入されることで開始する（Ｓ１００）。センサ部２０７が緊急情報を検知した場合（Ｓ１０１、ＹＥＳ）、センサ部２０７は緊急情報受信部１０６に緊急情報を送出し、緊急情報受信部１０６が主制御部１０５へ緊急情報を受信したことを通知する。主制御部１０５は、トランシーバモード起動指示信号送信部１０４に対して内線無線電話機２へトランシーバモード起動指示信号を送出する指示を行う。指示を受けたトランシーバモード起動指示信号送信部１０４は、内線Ｉ／Ｆ部１０２を介して内線無線電話機（２、・・・、２−Ｎ）にトランシーバモード起動指示信号を送出する（Ｓ１０３）。トランシーバモード起動指示信号送出後、電話主装置１は通常動作状態に戻る（Ｓ１０５）。
【００３８】
また、センサ部２０７が異常を検出していない場合（Ｓ１０１、ＮＯ）、内線無線電話機２からトランシーバ起動要求があるかどうかを判定する（Ｓ１０２）。
【００３９】
内線無線電話機２から特番によるトランシーバ起動要求を受けた場合（Ｓ１０２、ＹＥＳ）、主制御部１０５は交換処理部１０３にトランシーバモード起動要求によって指定された内線番号の内線無線電話機２を呼び出す指示を行い、交換処理部１０３は指定された内線無線電話機２を呼び出す（Ｓ１０４）。このとき、指定された内線無線電話機２が使用中であった場合、交換処理部１０３は指定された内線無線電話機２が待機状態になるまで待ってから呼び出しを行う。指定された内線無線電話機２が応答したら、交換処理部１０３は主制御部１０５に応答した旨を伝える。主制御部１０５はトランシーバモード起動指示信号送信部１０４に対して、指定された内線無線電話機２にトランシーバモード起動指示信号を送出するよう指示を行う。指示を受けたトランシーバモード起動指示信号送信部１０４は内線Ｉ／Ｆ部１０２を介してトランシーバモード起動指示信号を送出する（Ｓ１０３）。トランシーバモード起動指示信号の送出後、電話主装置１は通常動作状態に戻る（Ｓ１０５）。
【００４０】
また、内線無線電話機２からトランシーバ起動要求がない場合（Ｓ１０２、ＮＯ）、電話主装置１は通常動作状態に戻る（Ｓ１０５）。
【００４１】
図３は内線無線電話機２の動作を示すフローチャートである。本フローチャートは、内線無線電話機２の電源が投入されることで開始する（Ｓ２００）。
【００４２】
まず、自内線無線電話機２は、トランシーバモード起動指示信号を受信したか否か（Ｓ２０１）、モード切替ＳＷ部２０６がトランシーバモードか否か（Ｓ２０２）、特番の入力が為されたか否か（Ｓ２０３）を判定し、いずれもＮＯの場合に自内線無線電話機２は通常動作を行い（Ｓ２２５）、Ｓ２０１へ戻る。
【００４３】
次に、自内線無線電話機２がトランシーバモード起動指示信号を受信した場合（Ｓ２０１、ＹＥＳ）、自内線無線電話機２が通話中か否かの判定を行う（Ｓ２０５）。
【００４４】
自内線無線電話機２が通話中であった場合（Ｓ２０５、ＹＥＳ）、主制御部２０４は内線Ｉ／Ｆ部２０１に当該通話の保留を要求する通話保留要求を電話主装置１へ送信するよう指示し、内線Ｉ／Ｆ部２０１を介して保留通話要求を発信する（Ｓ２０６）。
【００４５】
次に、モード制御部２０３はモード切替ＳＷ部２０６をトランシーバモードに切り替える指示を行い、モード切替ＳＷ部２０６は自内線無線電話機２がトランシーバモードに切り替わった旨を表示する。また、モード制御部２０３はトランシーバモード起動／停止部２０８にトランシーバモードによる通信の開始を指示すると、トランシーバモード起動／停止部２０８は無線部２０９の周波数チャネルをトランシーバモードで使用する特定の周波数チャネルに切り替え、トランシーバモードによる通信を開始する（Ｓ２０７）。
【００４６】
尚、自内線無線電話機２が通話中で無かった場合は（Ｓ２０５、ＮＯ）、Ｓ２０６を経由せずにＳ２０７へ進む。
【００４７】
また、自内線無線電話機２がトランシーバモード起動指示信号を受信せず（Ｓ２０１、ＮＯ）、モード切替ＳＷ部２０６がトランシーバモードの場合（Ｓ２０２、ＹＥＳ）、Ｓ２０５に進む。さらに、特番の入力が為された場合（Ｓ２０３、ＹＥＳ）、キー入力部２０５より入力された特番を示す信号は主制御部２０４に伝わり、主制御部２０４は対象の内線番号の内線無線電話機２をトランシーバモードで起動することを要求する旨の信号を内線Ｉ／Ｆ部２０１、内線Ｉ／Ｆ部１０２を介して電話主装置１に送出する（Ｓ２０４）。その後、Ｓ２０５に進む。
【００４８】
トランシーバモードによる通信の開始後、アンテナ部２０７から受信した信号は無線部２０９を介し、通話に係わる信号を通話処理部２１０に通知する。通話処理部２１０では通知された通話に係わる信号のうち、受話音声をレシーバ２１３に出力する（Ｓ２０８）。
【００４９】
次に、トランシーバモードによる通信の開始後、送信禁止信号を送出したか否かの判定を行う（Ｓ２０９）。送信禁止信号の送出を行った場合（Ｓ２０９、ＹＥＳ）、キー操作部２０５より入力された特定操作を示す信号は主制御部２０４に通知され、主制御部２０４は送信禁止信号送受信部２１５に指示して、送信禁止信号送受信部２１５から無線部２０９を介して他内線無線電話機２に送信禁止信号を送信する。
【００５０】
次に、主制御部２０４は送話無効期間のカウンタが起動されていた場合にはカウンタを停止し、通話処理部２１０に送話無効を解除するように指示をし、通話処理部２１０は送話無効を解除する（Ｓ２１０）。尚、自内線無線電話機２が送話無効になっていなかった場合でも、必ずＳ２１０の処理を行うものとする。
【００５１】
次に、主制御部２０４は内蔵するカウンタ（図示せず）で送話が有効となる期間を示す送話有効期間のカウンタを開始する（Ｓ２１１）。ここで、送話有効期間はデータ設定により任意に時間を設定できるものとする。例えば内線無線電話機２毎に送話有効期間が異なるものであっても良い。
【００５２】
次に、主制御部２０４は通話処理部２１０に対し、マイクに入力された音声を送信するように指示を行い、通話処理部２１０はマイクに入力された音声を送信データとして無線部２０４に通知する。無線部２０４は通話処理部２１０より受け取った送話データをアンテナ部２０７を介して他内線無線電話機２に送信する（Ｓ２１２）。その後、Ｓ２２３へ進む。
【００５３】
自内線無線電話機２が送信禁止信号を送出しない場合（Ｓ２０９、ＮＯ）、他内線無線電話機２から送信禁止信号を受信したか否かの判定を行う（Ｓ２１３）。
【００５４】
他内線無線電話機２から送信禁止信号を受信した場合（Ｓ２１３、ＹＥＳ）、送話禁止信号送受信部２１５は、無線部２０９を介して主制御部２０４に送話禁止信号を受信した旨を伝える。主制御部２０４は通話処理部２１０に送話禁止の旨を伝え、通話処理部２１０は送話を無効に設定する（Ｓ２１４）。ここで、送話無効の方法としては通話処理部２１０から送出する送話信号に無音のデータをマスクする方法や、マイク２１２の入力をミュートする方法や、送話データを送信しない方法等である。
【００５５】
送話を無効にした後、主制御部２０４は内蔵するカウンタ（図示せず）で送話が無効となる期間を示す送話無効期間のカウントを開始する（Ｓ２１５）。ここで、送話無効期間は前述の送話有効期間で設定された任意の時間とする。その後、Ｓ２２３へ進む。
【００５６】
他内線無線電話機２から送信禁止信号を受信しない場合（Ｓ２０９、ＮＯ）、送信有効期間のカウンタがタイムアウトしたか否かの判定を行う（Ｓ２１６）。
【００５７】
送話有効期間のカウンタがタイムアウトした場合（Ｓ２１６、ＹＥＳ）、主制御部２０４は通話処理部２１０に送話を停止するよう指示して、通話処理部２１０は送話を停止する（Ｓ２１７）。その後、Ｓ２２３へ進む。
【００５８】
送話有効期間のカウンタがタイムアウトしていない場合（Ｓ２１６、ＮＯ）、送話無効期間のカウンタがタイムアウトしたか否か判定を行う（Ｓ２１８）。
【００５９】
送話無効期間のカウンタがタイムアウトした場合（Ｓ２１８、ＹＥＳ）、主制御部２０４は通話処理部２１０に対して送話無効を解除するように指示をし、通話処理部２１０は送話無効を解除する（Ｓ２１９）。その後、Ｓ２２３へ進む。
【００６０】
送話無効期間のカウンタがタイムアウトしていない場合（Ｓ２１８、ＮＯ）、送話スイッチが押下中か否かの判定を行う（Ｓ２２０）。
【００６１】
送話スイッチが押下中であった場合（Ｓ２２０、ＹＥＳ）、送話ＳＷ部２１１を押下中である旨の信号が通話処理部２１０に通知される。その後、自内線無線電話機２が送話無効中であるか否かの判定を行う（Ｓ２２１）。
【００６２】
自内線無線電話機２が送話無効中でなかった場合（Ｓ２２１、ＮＯ）、通話処理部２１１は、送話ＳＷ部２１１を押下されている間、マイクに入力された音声信号を送信データとして無線部２０９に通知し、無線部２０９は通話処理部２０９から受け取ったデータをアンテナ部２０７を介して送信する（Ｓ２２２）。その後、Ｓ２２３へ進む。
【００６３】
また、自内線無線電話機２が送話無効中であった場合（Ｓ２２１、ＹＥＳ）、送話スイッチが押下中でなかった場合も（Ｓ２２０、ＮＯ）、Ｓ２２３へ進む。
【００６４】
次に、内線無線電話機２のモード切替ＳＷ部２０６の状態の判定を行い（Ｓ２２３）、モード切替ＳＷ部２０６が通常モードではない場合（Ｓ２２３、ＮＯ）、すなわちトランシーバモードの場合はＳ２０９に戻る。
【００６５】
また、モード切替ＳＷ部２０６が通常モードであった場合（Ｓ２２３、ＹＥＳ）、すなわち使用者の操作によりモード切替ＳＷ部２０６を通常モードに変更した場合は、モード切替ＳＷ部２０６から通常モードに変更した旨の信号がモード制御部２０３に伝わり、モード制御部２０３はトランシーバモード起動／停止部２０８に無線の周波数チャネルを通常モードに切り替えて、通常モードによる通信を開始するように指示する。トランシーバモード起動／停止部２０８は無線部２０９の周波数チャネルを通常モードに切り替え（Ｓ２２４）、自内線無線電話機２は通常モードに復旧し、Ｓ２０１に戻る。
【００６６】
尚、トランシーバモード開始時に通話中の呼があり、Ｓ２０６で保留要求していた場合は、一般的な電話主装置の通常動作と同じく、キー操作部２０５で保留解除の操作を行うと、主制御部２０４は保留解除の旨の信号を内線Ｉ／Ｆ部２０１に送出し、電話主装置１の内線Ｉ／Ｆ部１０２を介して交換処理部１０３に通知される。交換処理部１０３は保留中の前記の呼と当該内線無線電話機２が再度接続するように動作する。
【符号の説明】
【００６７】
１：電話主装置
２：内線無線電話機
１０１：外線Ｉ／Ｆ部
１０２：内線Ｉ／Ｆ部
１０３：交換処理部
１０４：トランシーバモード起動指示信号送信部
１０５：主制御部
１０６：緊急情報受信部
１０７：センサ部
２０１：内線Ｉ／Ｆ部
２０２：トランシーバモード起動指示信号受信部
２０３：モード制御部
２０４：主制御部
２０５：キー操作部
２０６：モード切替ＳＷ部
２０７：アンテナ部
２０８：トランシーバモード起動／停止部
２０９：無線部
２１０：通話処理部
２１１：送話ＳＷ部
２１２：マイク
２１３：レシーバ
２１４：電池
２１５：送信禁止信号送受信部
【図１】
2015070403.tif 000003
【図２】
2015070403.tif 000004
【図３】
2015070403.tif 000005